(57)【要約】【課題】  電子制御ユニット基板を収納する基板室などの呼吸作用を、ワイヤハーネスに設けられてコネクタの室内に開口する呼吸チューブによって行わせる負圧発生防止装置にして、コネクタの室内に水を吸い込んだ場合にも、ブレーキ液圧制御装置に悪影響を与えない負圧発生防止装置を提供する。【解決手段】  基板室（１５）に収納された電子制御ユニット基板（１６）にコネクタを介して接続されるワイヤハーネス（３５）に呼吸チューブ（３７）が設けられ、該呼吸チューブの一端が、互いに結合されたユニット側コネクタ（３３）と車両側コネクタ（３６）との間に形成されるコネクタ室（３８）に開口し、他端が水の掛からない場所に開口し、呼吸チューブのコネクタ室への開口位置（４９）と、コネクタ室と基板室とを連通する連通穴（４８）のコネクタ室への開口位置（５０）とがオフセットされている。【選択図】  図３
2008105643.tif 000002
【特許請求の範囲】
【請求項１】
ケースとカバーとの間に電子制御ユニット基板を収納する基板室が大気に対して液密的に形成され、前記ケースとハイドロユニットとの間に制御機器を収容する収容室が大気に対して液密的に形成され、前記ケースに設けられたユニット側コネクタに前記電子制御ユニット基板に接続される複数の端子が設けられ、一端に前記ユニット側コネクタと結合される車両側コネクタが設けられ、他端が水のかからない場所に配線されるワイヤハーネスを備えたブレーキ液圧制御装置の負圧発生防止装置において、
前記ワイヤハーネスには、前記車両側コネクタが前記ユニット側コネクタに結合されると一端が前記両コネクタ間に液密的に形成されるコネクタ室に開口し、他端が前記水のかからない場所に開口する呼吸チューブが設けられ、
該呼吸チューブの前記コネクタ室への開口位置と、前記コネクタ室と前記基板室とを連通する連通穴の前記コネクタ室への開口位置とがオフセットされていることを特徴とするブレーキ液圧制御装置の負圧発生防止装置。
【請求項２】
請求項１において、前記呼吸チューブの前記コネクタ室への開口位置が、前記コネクタ室と前記基板室とを連通する連通穴の前記コネクタ室への開口位置より下方にオフセットされていることを特徴とするブレーキ液圧制御装置の負圧発生防止装置。
【請求項３】
請求項１において、前記コネクタ室を前記呼吸チューブが開口する区画部と、前記連通穴が開口する区画部とに僅かな連通部を残して区分する仕切板が前記コネクタ室内に設けられていることを特徴とするブレーキ液圧制御装置の負圧発生防止装置。
【請求項４】
請求項３において、前記仕切板は、前記コネクタ室を前記呼吸チューブが開口する下区画と前記連通穴が開口する上区画とに区分する水平仕切板、およびコネクタの結合時に前記車両側コネクタを案内するために前記ユニット側コネクタの内部に垂直方向に形成されて前記コネクタ室を前記呼吸チューブおよび前記連通穴の一方が開口する左区画と他方が開口する右区画とに僅かな連通部を残して区分する案内板の少なくとも一方であることを特徴とするブレーキ液圧制御装置の負圧発生防止装置。
【請求項５】
ケースとカバーとの間に電子制御ユニット基板を収納する基板室が大気に対して液密的に形成され、前記ケースとハイドロユニットとの間に制御機器を収容する収容室が大気に対して液密的に形成され、前記ケースに設けられたユニット側コネクタに前記電子制御ユニット基板に接続される複数の端子が設けられ、一端に前記ユニット側コネクタと結合される車両側コネクタが設けられ、他端が水のかからない場所に配線されるワイヤハーネスを備えたブレーキ液圧制御装置の負圧発生防止装置において、
前記ワイヤハーネスには、前記車両側コネクタが前記ユニット側コネクタに結合されると一端が前記両コネクタ間に形成されるコネクタ室に開口し、他端が前記水のかからない場所に開口する呼吸チューブが設けられ、
該呼吸チューブの前記コネクタ室への開口位置と、前記コネクタ室に配列された前記複数の端子のうちの微小電流が流れる端子の配列位置とがオフセットされていることを特徴とするブレーキ液圧制御装置の負圧発生防止装置。
【請求項６】
請求項５において、前記呼吸チューブの前記コネクタ室への開口位置が、前記複数の端子のうちの微小電流が流れる端子の位置より下方にオフセットされていることを特徴とするブレーキ液圧制御装置の負圧発生防止装置。
【請求項７】
請求項５において、前記コネクタ室を前記呼吸チューブが開口する区画部と、前記微小電流が流れる端子が位置する区画部とに僅かな連通部を残して区分する仕切板が前記コネクタ室内に設けられていることを特徴とするブレーキ液圧制御装置の負圧発生防止装置。
【請求項８】
請求項７において、前記仕切板は、前記コネクタ室を前記呼吸チューブが開口する下区画と前記微小電流が流れる端子が位置する上区画とに区分する水平仕切板、およびコネクタの結合時に前記車両側コネクタを案内するために前記ユニット側コネクタの内部に垂直方向に形成されて前記コネクタ室を前記呼吸チューブの開口および前記微小電流が流れる端子の一方が開口する左区画と他方が開口する右区画とに僅かな連通部を残して区分する案内板の少なくとも一方であることを特徴とするブレーキ液圧制御装置の負圧発生防止装置。
【請求項９】
請求項１乃至８のいずれか１項において、前記制御板室、収納室およびハイドロユニットの内室が互いに連通されていることを特徴とするブレーキ液圧制御装置の負圧発生防止装置。
【発明の詳細な説明】
【技術分野】
【０００１】
本発明は、ブレーキ液圧制御装置の電子制御ユニット基板を収納する基板室などが呼吸作用によって負圧になることを防止するブレーキ液圧制御装置の負圧発生防止装置に関するものである。
【背景技術】
【０００２】
特許文献１に記載された電子的な制御ユニットを含む自動車制御装置では、ハウジングに液密的に形成された内部空間に電子デバイスが収容され、電子デバイスをワイヤハーネスで外部と電気的に接続するためのコネクタがハウジングに設けられている。そして、ハウジングの内部空間が呼吸可能なように、ワイヤハーネスの通気性を利用してハウジングの内部空間が外部と連通されている。
【０００３】
特許文献２に記載された負圧防止装置では、呼吸チューブがワイヤハーネスと束ねて設けられ、該ワイヤハーネスがケースとハウジングとの間に収納された基板に端子で接続され、基板に向けてケースに穿設された連通穴に呼吸チューブが接続されている。
【特許文献１】特開２００２−３３７６７６号公報（段落〔０００６〕、図３）
【特許文献２】特開平５−２７３２８９号公報（段落〔００１３〕、図１）
【発明の開示】
【発明が解決しようとする課題】
【０００４】
特許文献１に記載のものでは、ハウジングの内部空間はワイヤハーネスの通気性を利用して外部と連通されるが、その図１および図２に示されているように、呼吸時にワイヤハーネスの通気抵抗等によってハウジング内に負圧が発生し、この負圧が無くなるまでにかなりの時間を必要とする。このために、内部空間をシールするパッキンが僅かに劣化するだけで、水が内部空間に浸入しシール保証ができなくなる危険性がある。
【０００５】
特許文献２に記載のものでは、ワイヤハーネスとは別に呼吸チューブが設けられているので、万一、水が呼吸チューブから吸い込まれると、基板室に直接浸入してしまう。
【０００６】
本発明は、電子制御ユニット基板を収納する基板室などの呼吸作用を、ワイヤハーネスに設けられてコネクタの室内に開口する呼吸チューブによって行わせる負圧発生防止装置にして、コネクタの室内に水を吸い込んだ場合にも、ブレーキ液圧制御装置に悪影響を与えない負圧発生防止装置を提供することである。
【課題を解決するための手段】
【０００７】
上記の課題を解決するため、請求項１に記載の発明の構成上の特徴は、ケースとカバーとの間に電子制御ユニット基板を収納する基板室が大気に対して液密的に形成され、前記ケースとハイドロユニットとの間に制御機器を収容する収容室が大気に対して液密的に形成され、前記ケースに設けられたユニット側コネクタに前記電子制御ユニット基板に接続される複数の端子が設けられ、一端に前記ユニット側コネクタと結合される車両側コネクタが設けられ、他端が水のかからない場所に配線されるワイヤハーネスを備えたブレーキ液圧制御装置の負圧発生防止装置において、前記ワイヤハーネスには、前記車両側コネクタが前記ユニット側コネクタに結合されると一端が前記両コネクタ間に液密的に形成されるコネクタ室に開口し、他端が前記水のかからない場所に開口する呼吸チューブが設けられ、該呼吸チューブの前記コネクタ室への開口位置と、前記コネクタ室と前記基板室とを連通する連通穴の前記コネクタ室への開口位置とがオフセットされていることである。
【０００８】
請求項２に記載の発明の構成上の特徴は、請求項１において、前記呼吸チューブの前記コネクタ室への開口位置が、前記コネクタ室と前記基板室とを連通する連通穴の前記コネクタ室への開口位置より下方にオフセットされていることである。
【０００９】
請求項３に記載の発明の構成上の特徴は、請求項１において、前記コネクタ室を前記呼吸チューブが開口する区画部と、前記連通穴が開口する区画部とに僅かな連通部を残して区分する仕切板が前記コネクタ室内に設けられていることである。
【００１０】
請求項４に記載の発明の構成上の特徴は、請求項３において、前記仕切板は、前記コネクタ室を前記呼吸チューブが開口する下区画と前記連通穴が開口する上区画とに区分する水平仕切板、およびコネクタの結合時に前記車両側コネクタを案内するために前記ユニット側コネクタの内部に垂直方向に形成されて前記コネクタ室を前記呼吸チューブおよび前記連通穴の一方が開口する左区画と他方が開口する右区画とに僅かな連通部を残して区分する案内板の少なくとも一方であることである。
【００１１】
請求項５に記載の発明の構成上の特徴は、ケースとカバーとの間に電子制御ユニット基板を収納する基板室が大気に対して液密的に形成され、前記ケースとハイドロユニットとの間に制御機器を収容する収容室が大気に対して液密的に形成され、前記ケースに設けられたユニット側コネクタに前記電子制御ユニット基板に接続される複数の端子が設けられ、一端に前記ユニット側コネクタと結合される車両側コネクタが設けられ、他端が水のかからない場所に配線されるワイヤハーネスを備えたブレーキ液圧制御装置の負圧発生防止装置において、前記ワイヤハーネスには、前記車両側コネクタが前記ユニット側コネクタに結合されると一端が前記両コネクタ間に形成されるコネクタ室に開口し、他端が前記水のかからない場所に開口する呼吸チューブが設けられ、該呼吸チューブの前記コネクタ室への開口位置と、前記コネクタ室に配列された前記複数の端子のうちの微小電流が流れる端子の配列位置とがオフセットされていることである。
【００１２】
請求項６に記載の発明の構成上の特徴は、請求項５において、前記呼吸チューブの前記コネクタ室への開口位置が、前記複数の端子のうちの微小電流が流れる端子の位置より下方にオフセットされていることである。
【００１３】
請求項７に記載の発明の構成上の特徴は、請求項５において、前記コネクタ室を前記呼吸チューブが開口する区画部と、前記微小電流が流れる端子が位置する区画部とに僅かな連通部を残して区分する仕切板が前記コネクタ室内に設けられていることである。
【００１４】
請求項８に記載の発明の構成上の特徴は、請求項７において、前記仕切板は、前記コネクタ室を前記呼吸チューブが開口する下区画と前記微小電流が流れる端子が位置する上区画とに区分する水平仕切板、およびコネクタの結合時に前記車両側コネクタを案内するために前記ユニット側コネクタの内部に垂直方向に形成されて前記コネクタ室を前記呼吸チューブの開口および前記微小電流が流れる端子の一方が開口する左区画と他方が開口する右区画とに僅かな連通部を残して区分する案内板の少なくとも一方であることである。
【００１５】
請求項９に記載の発明の構成上の特徴は、請求項１乃至８のいずれか１項において、前記制御板室、収納室およびハイドロユニットの内室が互いに連通されていることである。
【発明の効果】
【００１６】
上記のように構成した請求項１に係る発明においては、基板室に収納された電子制御ユニット基板にコネクタを介して接続されるワイヤハーネスに呼吸チューブが設けられ、該呼吸チューブの一端が、互いに結合された車両側コネクタとユニット側コネクタとの間に形成されるコネクタ室に開口し、他端が水のかからない場所に開口し、呼吸チューブのコネクタ室への開口位置と、コネクタ室と基板室とを連通する連通穴のコネクタ室への開口位置とがオフセットされているので、万一、水が呼吸チューブを通ってコネクタ室内に吸い込まれても、この水が呼吸チューブから連通穴に直接流入して基板室に流入し、電子制御ユニットを誤作動、故障させる等、ブレーキ液圧制御装置に悪影響を与えることを防止することができる。さらに、呼吸時の空気の移動は呼吸チューブを通って円滑に行われ、基板室等の内部空間が負圧にならないので、水等がパッキンを通過して内部空間に浸入することを防止することができる。
【００１７】
上記のように構成した請求項２に係る発明においては、呼吸チューブのコネクタ室への開口位置が、コネクタ室と基板室とを連通する連通穴のコネクタ室への開口位置より下方にオフセットされているので、万一、水が呼吸チューブを通ってコネクタ室内に吸い込まれても、この水はコネクタ室内で流下して下方に溜まり、コネクタ室で呼吸チューブより上方に開口された連通穴から基板室に流入することを確実に防止することができる。
【００１８】
上記のように構成した請求項３に係る発明においては、コネクタ室が仕切板によって呼吸チューブが開口する区画部と、連通穴が開口する区画部とに僅かな連通部を残して区分されているので、万一、水が呼吸チューブを通ってコネクタ室内に吸い込まれても、この水が呼吸チューブから連通穴にコネクタ室内で移動することが仕切板によって遮られ、基板室に流入することが一層確実に防止される。
【００１９】
上記のように構成した請求項４に係る発明においては、コネクタ室を呼吸チューブが開口する下区画と連通穴が開口する上区画とに僅かな連通部を残して区分する水平仕切板、および結合時に車両側コネクタを案内するためにユニット側コネクタの内部に垂直方向に形成されてコネクタ室を呼吸チューブおよび連通穴の一方が開口する左区画と他方が開口する右区画とに僅かな連通部を残して区分する案内板の少なくとも一方によってコネクタ室が区分されている。これにより、万一、水が呼吸チューブを通ってコネクタ室内に吸い込まれても、水平仕切板が設けられている場合は、呼吸チューブの開口から下区画に流入した水は、連通穴が開口する上区画に移動することを水平仕切板によって阻止される。呼吸チューブおよび連通穴の一方が垂直方向に設けられた案内板の左側の左区画室に、他方が右側の右区画室に開口する場合は、呼吸チューブを通ってコネクタ室に流入した水が基板室に流入することを既存の案内板を利用して防止することができる。
【００２０】
上記のように構成した請求項５に係る発明においては、基板室に収納された電子制御ユニット基板にコネクタを介して接続されるワイヤハーネスに呼吸チューブが設けられ、該呼吸チューブの一端が、互いに結合された車両側コネクタとユニット側コネクタとの間に形成されるコネクタ室に開口し、他端が水のかからない場所に開口し、呼吸チューブのコネクタ室への開口位置と、ユニット側コネクタに設けられてコネクタ室に配列された複数の端子のうちの微小電流が流れる端子の配列位置とがオフセットされているので、万一、水が呼吸チューブを通ってコネクタ室内に吸い込まれても、この水が、例えばセンサからの微小電流が流れる端子にかかることがなく、微小電流の流れる端子が錆びて微少電流を遮断し、電子制御ユニットを誤作動、故障させる等、ブレーキ液圧制御装置に悪影響を与えることを防止することができる。さらに、呼吸時の空気の移動は呼吸チューブを通って円滑に行われ、基板室等の内部空間が負圧にならないので、水等がパッキンを通過して内部空間に浸入することを防止することができる。
【００２１】
上記のように構成した請求項６に係る発明においては、呼吸チューブのコネクタ室への開口位置が、微小電流の流れる端子の位置より下方にオフセットされているので、万一、水が呼吸チューブを通ってコネクタ室内に吸い込まれても、この水はコネクタ室内で流下して下方に溜まり、コネクタ室で呼吸チューブが開口する位置より上方に位置する微小電流が流れる端子にかかることを確実に防止することができる。
【００２２】
上記のように構成した請求項７に係る発明においては、コネクタ室が仕切板によって呼吸チューブが開口する区画部と、微小電流が流れる端子が位置する区画部とに僅かな連通部を残して区分されているので、万一、水が呼吸チューブを通ってコネクタ室内に吸い込まれても、この水が呼吸チューブから微小電流が流れる端子にコネクタ室内で移動することが仕切板によって遮られ、微小電流が流れる端子にかかることが一層確実に防止される。
【００２３】
上記のように構成した請求項８に係る発明においては、コネクタ室を呼吸チューブが開口する下区画と微小電流が流れる端子が位置する上区画とに僅かな連通部を残して区分する水平仕切板、および結合時に車両側コネクタを案内するためにユニット側コネクタの内部に垂直方向に形成されてコネクタ室を呼吸チューブの開口および微小電流が流れる端子の一方が位置する左区画と他方が位置する右区画とに僅かな連通部を残して区分する案内板の少なくとも一方によってコネクタ室が区分されている。これにより、万一、水が呼吸チューブを通ってコネクタ室内に吸い込まれても、水平仕切板が設けられている場合は、呼吸チューブの開口から下区画に流入した水は、微小電流が流れる端子が位置する上区画に移動することが水平仕切板によって阻止される。呼吸チューブの開口および微小電流が流れる端子の一方が垂直方向に設けられた案内板の左側の左区画室に、他方が右側の右区画室に位置する場合は、呼吸チューブを通ってコネクタ室に流入した水が微小電流の流れる端子にかかることを既存の案内板を利用して防止することができる。
【００２４】
上記のように構成した請求項９に係る発明においては、基板室、収納室およびハイドロユニットの内室が互いに連通されて大きい内部空間を形成しており、呼吸時の空気の移動量が多くなるが、かかる空気の移動は呼吸チューブを通って円滑に行われ、基板室等の内部空間が負圧にならないので、水等がパッキンを通過して内部空間に浸入することを確実に防止することができる。
【発明を実施するための最良の形態】
【００２５】
以下本発明の実施形態に係るブレーキ液圧制御装置１０の負圧発生防止装置１１について説明する。車両のブレーキ液圧制御装置１０は、図略のブレーキペダルの操作によって液圧を発生するマスタシリンダと車輪に設けられたブレーキのホイールシリンダとの間に接続され、車輪に付与される制動力を制御するものである。ブレーキ液圧制御装置１０は、車両取付け時の上下方向を図３における上下方向と一致させて車両に取り付けられる。
【００２６】
図１に示すように、ブレーキ液圧制御装置１０は、ケース１２の側壁１３の一端面にカバー１４が振動溶着されて両者間に基板室１５が大気に対して液密的に形成され、電子制御ユニットを構成する基板１６（以下、電子制御ユニット基板という。）が基板室１５内でケース１２の隔壁１７の上面に固定されている。ケース１２の側壁１３の他端面にはパッキン１８が装着されるシール溝１９が刻設され、ケース１２はハイドロユニット２０の本体２１の表面にパッキン１８を圧接させた状態で固定され、ケース１２と本体２１との間に制御機器を収容する収容室２２が大気に対して液密的に形成されている。収容室２２には、ハイドロユニット２０に装備された複数の電磁弁のソレノイド２３が本体２１の表面から突出し制御機器として収容室２２内に収容されている。ソレノイド２３の端子は隔壁１７を貫通して基板室１５に入って電子制御ユニット基板１６に接続されている。収容室２２と基板室１５とは隔壁１７に穿設された通穴２４によって連通されている。
【００２７】
ハイドロユニット２０の本体２１には、液圧ポンプ（図示せず）、リザーバ２６、および各車輪に設けられたブレーキのホイールシリンダを液圧ポンプ又はリザーバ２６に接続し、又は油圧を制御するための複数の電磁制御弁等が設けられている。リザーバ２６は、本体２１に形成された有底の摺動穴２７に嵌合され圧縮スプリング２８によって前方に付勢されるピストン２９の前端面と摺動穴２７の底部とによって画成される。摺動穴２７のピストン２９の背面側と収容室２２とは通穴３０によって連通されている。本体２１にはモータ室３１が形成され、モータ室３１に液圧ポンプを回転駆動するモータ３２が収納されている。モータ室３１と摺動穴２７のピストン２９の背面側とは通穴６１によって連通されている。基板室１５、収容室２２、およびハイドロユニット２０の摺動穴２７のピストン２９の背面側、モータ室３１等のハイドロユニット２０の本体２１の内室は互いに連通されて大きい内部空間を形成している。
【００２８】
図２、図４に示すように、隔壁１７の側壁１３の外側まで延在した部分にはユニット側コネクタ３３が形成され、ユニット側コネクタ３３の内部には、電子制御ユニット基板１６に接続される複数の端子３４が設けられている。ユニット側コネクタ３３には、ワイヤハーネス３５の一端に設けられた車両側コネクタ３６が結合され、ワイヤハーネス３５の他端は車室など水の掛からない場所に配線されている。ワイヤハーネス３５には芯線を入れない被覆が呼吸チューブ３７として設けられ、呼吸チューブ３７は、互いに結合されたユニット側コネクタ３３と車両側コネクタ３６との間に形成されるコネクタ室３８に一端が開口し、他端が前述の水の掛からない場所に開口する。
【００２９】
図３に示すように、ユニット側コネクタ３３は細長い形状をなし、ブレーキ液圧制御装置１０が車両に取り付けられると、その長手方向が上下方向となる。ユニット側コネクタ３３には、その外周壁３９で囲まれた細長い内部４０に、上方から順に動力線用の端子４１、Ｇセンサ、車輪速センサ等のセンサからの信号線用の微小電流が流れる端子４２、制御線、通信線用の端子４３、および動力線用の端子４１が複数の端子３４として複数列設けられオス型コネクタ部４４を形成している。ユニット側コネクタ３３に車両側コネクタ３６が結合されると、電子制御ユニットは、Ｇセンサ、車輪速センサなどから入力した信号に基づいてハイドロユニット１４の液圧ポンプを回転駆動するモータ３２、電磁弁のソレノイド２３を制御して、通常のブレーキ制御、アンチロックブレーキ制御、横滑り防止制御などの制御を行う。
【００３０】
図４に示すように、車両側コネクタ３６には、オス型のコネクタ部４４が係入するメス型のコネクタ部４５と、外周壁３９が嵌る環状溝４６が形成され、環状溝４６の底部でパッキン４７がメス型コネクタ部４５の外周に嵌着されている。ユニット側コネクタ３３に車両側コネクタ３６が結合されると、パッキン４７が外周壁３９の内周面に圧接されてユニット側コネクタ３３の細長い内部４０は液密的に閉鎖されコネクタ室３８となる。ユニット側コネクタ３３の細長い内部４０の上方底肉部には、コネクタ室３８と基板室１５とを連通する連通穴４８が穿設されている。図３において、呼吸チューブ３７はコネクタ室３８の下方で車両側コネクタ３６のメス型コネクタ部４５の端面に開口され、連通穴４８はユニット側コネクタ３３の内部４０の上方に開口されることによって、呼吸チューブ３７のコネクタ室３８への開口位置４９と、連通穴４８のコネクタ室３８への開口位置５０とがオフセットされている。開口位置４９と開口位置５０とのオフセットは、開口位置４９，５０を左右にずらしてオフセットしてもよく、呼吸チューブ３７をコネクタ室３８の上方に開口し、連通穴４８を下方に開口してもよい。
【００３１】
これにより、万一、水が呼吸チューブ３７を通ってコネクタ室３８内に吸い込まれても、この水が呼吸チューブ３７から連通穴４８に直接流入して基板室１５に流入し、電子制御ユニットを誤作動、故障させることを防止できる。そして、呼吸時の空気の移動は呼吸チューブ３７を通って円滑に行われので、基板室１５等の内部空間が負圧になることがなく、水等がパッキン１８を通過して内部空間に浸入することを防止することができる。呼吸チューブ３７のコネクタ室３８への開口位置４９が、連通穴４８のコネクタ室３８への開口位置５０より下方にオフセットされている場合は、万一、水が呼吸チューブ３７を通ってコネクタ室３８内に吸い込まれても、この水はコネクタ室３８内で流下して下方に溜まり、コネクタ室３８で呼吸チューブ３７より上方に開口された連通穴４８から基板室１５に流入することを確実に防止することができる。
【００３２】
図３、図４に示すように、呼吸チューブ３７はコネクタ室３８の下方で車両側コネクタ３６のメス型コネクタ部４５の端面に開口され、ユニット側コネクタ３３に設けられた複数の端子３４のうちの微小電流が流れる端子４２は、ユニット側コネクタ３３の細長い内部４０の上方に配列されることによって、呼吸チューブ７３のコネクタ室３８への開口位置４９と、コネクタ室３８に配列された複数の端子３４のうちの微小電流が流れる端子４２の配列位置５１とがオフセットされている。開口位置４９と配列位置５１とのオフセットは、開口位置４９と配列位置５０を左右にずらしてオフセットしてもよく、呼吸チューブ３７をコネクタ室３８の上方に開口し、微小電流が流れる端子４２を下方に配列してもよい。
【００３３】
これにより、万一、水が呼吸チューブ３７を通ってコネクタ室３８内に吸い込まれても、この水が、例えばセンサからの微小電流が流れる端子４２にかかることがなく、微小電流の流れる端子４２が錆びて微少電流を遮断し、電子制御ユニットを誤作動、故障させることを防止できる。さらに、呼吸時の空気の移動は呼吸チューブ３７を通って円滑に行われ、基板室１５等の内部空間が負圧になることがなく、水等がパッキン１８を通過して内部空間に浸入することを防止することができる。呼吸チューブ３７のコネクタ室３８への開口位置４９が、微小電流が流れる端子４２の配列位置５１より下方にオフセットされている場合は、万一、水が呼吸チューブ３７を通ってコネクタ室３８内に吸い込まれても、この水はコネクタ室３８内で流下して下方に溜まり、コネクタ室３８で呼吸チューブ３７が開口する位置より上方に配列されている微小電流が流れる端子４２にかかることを確実に防止することができる。
【００３４】
図５、図６に示すユニット側コネクタ３３の内部４０には、上下の動力線用の端子４１を微小電流が流れる端子４２、制御線、通信線用の端子４３から分離するために、外周壁３９より背が低い上下２枚の分離板５２が設けられるとともに、微小電流が流れる端子４２を制御線、通信線用の端子４３から分離するために、外周壁３９より背が低い水平仕切板５３が外周壁３９の両側壁部分の間に設けられている。さらに、ユニット側コネクタ３３の内部４０には、コネクタの結合時に車両側コネクタ３６を案内するために、外周壁３９と同じ高さの案内板５４が内部４０を垂直方向に２分割するように上下の分離板５２間に形成されている。車両側コネクタ３６のメス型のコネクタ部４５には、コネクタの結合時に、分離板５２、水平仕切板５３および案内板５４が嵌り込むスリットが形成されている。メス型コネクタ部４５のスリットに嵌り込んだ分離板５２および水平仕切板５３の端面と、メス型コネクタ部４５に嵌着されたパッキン４７との間には僅かな隙間が残るように分離板５２および水平仕切板５３の高さが設定されているので、コネクタ室１５はこの隙間を介して全室が通じている。
【００３５】
このように、コネクタ室１５は、水平仕切板５３によって上区画５５と下区画５６とに区分され、案内板５４によって左区画５７と右区画５８に区分される。そして、図５の場合は、呼吸チューブ３７は、下区画５６の左区画５７に開口され、コネクタ室３８と基板室１５とを連通する連通穴４８は、上区画５５の右区画５８に開口され、微小電流が流れる端子４２は、上区画５５の左右区画５７，５８に配列されている。
【００３６】
水平仕切板５３と案内板５４は、両者共に設ける必要はなく、少なくとも一方を設ければよく、水平仕切板５３が設けられている場合は、万一、水が呼吸チューブ３７を通ってコネクタ室１５内に吸い込まれても、呼吸チューブ３７の開口から下区画５６に流入した水は、連通穴４８が開口する上区画５５に移動することが水平仕切板５３によって阻止され、基板室１５に流入することが一層確実に防止されるとともに、微小電流が流れる端子４２が位置する上区画５５に移動することが水平仕切板５３によって阻止され、この水が微小電流の流れる端子４２にかかることが一層確実に防止される。
【００３７】
呼吸チューブ３７および連通穴４８のコネクタ室３８への開口位置４９，５０の一方が、垂直方向に設けられた案内板５４の左側の左区画５７に、他方が右側の右区画５８に位置されている場合は、呼吸チューブ３７を通ってコネクタ室１５に流入した水が基板室１５に流入することを既存の案内板５４を利用して一層確実に防止することができる。そして、呼吸チューブ３７の開口位置４９および微小電流が流れる端子４２の配列位置５１の一方が、垂直方向に設けられた案内板５４の左側の左区画５７に、他方が右側の右区画５８に開口されている場合は、呼吸チューブ３７を通ってコネクタ室１５に流入した水が微小電流の流れる端子４２にかかることを既存の案内板５４を利用して防止することができる。
【００３８】
水平仕切板５３と案内板５４とを設けた場合は、両者が相乗効果を発揮し、水が連通穴４８から基板室１５に流入すること、および微小電流の流れる端子４２にかかることをほぼ確実に防止することができる。この場合、連通穴４８の開口位置５０と微小電流が流れる端子４２の配列位置５１は、案内板５４の同じ側に位置させる。
【００３９】
図７に示すように、コネクタ室３８と基板室１５とを連通する連通穴４８は、ユニット側コネクタ３３の細長い内部４０の上方底肉部に端子３４に沿わせて穿設してもよい。これにより、コネクタに多数の端子３４を設ける場合に、連通穴４８を内部４０の上方底肉部に独立して穿設する場合に比してスペースを有効に利用することができる。
【００４０】
さらに、図８に示すように、吸気チューブ３７は、ワイヤハーネス３５の１本の素線の被覆６０を径方向に広げて芯線５９との間のクリアランスを大きくすることにより通気抵抗を低減して構成してもよい。これにより、コネクタに多数の端子を設ける場合に、呼吸チューブ３７をワイヤハーネス３５に独立して設けるよりスペースを有効に利用することができる。
【図面の簡単な説明】
【００４１】
【図１】本発明に係る負圧発生防止装置を備えたブレーキ液圧制御装置の断面図。
【図２】ブレーキ液圧制御装置の側面図。
【図３】ユニット側コネクタを正面から見た図。
【図４】図３の４−４断面図。
【図５】ユニット側コネクタの他の例を正面から見た図。
【図６】図５の６−６断面図。
【図７】連通穴の他の例を示す図。
【図８】呼吸チューブの他の例を示す図。
【符号の説明】
【００４２】
１０…ブレーキ液圧制御装置、１１…負圧防止装置、１２…ケース、１３…側壁、１４…カバー、１５…基板室、１６…電子制御ユニット基板、１７…隔壁、１８…パッキン、１９…シール溝、２０…ハイドロユニット、２１…本体、２２…収容室、２３…ソレノイド（制御機器）、２４，３０，６１…通穴、２６…リザーバ、３１…モータ室、３３…ユニット側コネクタ、３４…端子、３５…ワイヤハーネス、３６…車両側コネクタ、３７…呼吸チューブ、３８…コネクタ室、３９…外周壁、４０…内部、４１…動力線用の端子、４２…微小電流が流れる端子、４３…制御線、通信線用の端子、４４…オス型のコネクタ部、４５…メス型のコネクタ部、４６…環状溝、４７…パッキン、４８…連通穴、４９，５０…開口位置、５１…微小電流が流れる端子の配列位置、５３…水平仕切板、５４…案内板、５５…上区画、５６…下区画、５７…左区画、５８…右区画、５９…芯線、６０…被覆。
【図１】
2008105643.tif 000003
【図２】
2008105643.tif 000004
【図３】
2008105643.tif 000005
【図４】
2008105643.tif 000006
【図５】
2008105643.tif 000007
【図６】
2008105643.tif 000008
【図７】
2008105643.tif 000009
【図８】
2008105643.tif 000010
【手続補正書】
【提出日】平成19年4月6日(2007.4.6)
【手続補正１】
【補正対象書類名】特許請求の範囲
【補正対象項目名】全文
【補正方法】変更
【補正の内容】
【特許請求の範囲】
【請求項１】
ケース（１２）とカバー（１４）との間に電子制御ユニット基板（１６）を収納する基板室（１５）が大気に対して液密的に形成され、前記ケースとハイドロユニット（２０）との間に制御機器（２３）を収容する収容室（２２）が大気に対して液密的に形成され、前記ケースに設けられたユニット側コネクタ（３３）に前記電子制御ユニット基板に接続される複数の端子（３４）が設けられ、一端に前記ユニット側コネクタと結合される車両側コネクタ（３６）が設けられ、他端が水のかからない場所に配線されるワイヤハーネス（３５）を備えたブレーキ液圧制御装置（１０）の負圧発生防止装置（１１）において、
前記ワイヤハーネスには、前記車両側コネクタが前記ユニット側コネクタに結合されると一端が前記両コネクタ間に液密的に形成されるコネクタ室（３８）に開口し、他端が前記水のかからない場所に開口する呼吸チューブ（３７）が設けられ、
該呼吸チューブの前記コネクタ室への開口位置（４９）と、前記コネクタ室と前記基板室とを連通する連通穴（４８）の前記コネクタ室への開口位置（５０）とがオフセットされていることを特徴とするブレーキ液圧制御装置の負圧発生防止装置。
【請求項２】
請求項１において、前記呼吸チューブ（３７）の前記コネクタ室（３８）への開口位置（４９）が、前記コネクタ室と前記基板室（１５）とを連通する連通穴（４８）の前記コネクタ室への開口位置（５０）より下方にオフセットされていることを特徴とするブレーキ液圧制御装置の負圧発生防止装置。
【請求項３】
請求項１において、前記コネクタ室（３８）を前記呼吸チューブ（３７）が開口する区画部（５６）と、前記連通穴（４８）が開口する区画部（５５）とに僅かな連通部を残して区分する仕切板（５３）が前記コネクタ室内に設けられていることを特徴とするブレーキ液圧制御装置の負圧発生防止装置。
【請求項４】
請求項３において、前記仕切板（５３）は、前記コネクタ室（３８）を前記呼吸チューブ（３７）が開口する下区画（５６）と前記連通穴（４８）が開口する上区画（５５）とに区分する水平仕切板（５３）、およびコネクタの結合時に前記車両側コネクタ（３６）を案内するために前記ユニット側コネクタ（３３）の内部に垂直方向に形成されて前記コネクタ室を前記呼吸チューブおよび前記連通穴の一方が開口する左区画（５７）と他方が開口する右区画（５８）とに僅かな連通部を残して区分する案内板（５４）の少なくとも一方であることを特徴とするブレーキ液圧制御装置の負圧発生防止装置。
【請求項５】
ケース（１２）とカバー（１４）との間に電子制御ユニット基板（１６）を収納する基板室（１５）が大気に対して液密的に形成され、前記ケースとハイドロユニット（２０）との間に制御機器（２３）を収容する収容室（２２）が大気に対して液密的に形成され、前記ケースに設けられたユニット側コネクタ（３３）に前記電子制御ユニット基板に接続される複数の端子（３４）が設けられ、一端に前記ユニット側コネクタと結合される車両側コネクタ（３６）が設けられ、他端が水のかからない場所に配線されるワイヤハーネス（３５）を備えたブレーキ液圧制御装置（１０）の負圧発生防止装置（１１）において、
前記ワイヤハーネスには、前記車両側コネクタが前記ユニット側コネクタに結合されると一端が前記両コネクタ間に形成されるコネクタ室（３８）に開口し、他端が前記水のかからない場所に開口する呼吸チューブ（３７）が設けられ、
該呼吸チューブの前記コネクタ室への開口位置（４９）と、前記コネクタ室に配列された前記複数の端子のうちの微小電流が流れる端子（４２）の配列位置（５１）とがオフセットされていることを特徴とするブレーキ液圧制御装置の負圧発生防止装置。
【請求項６】
請求項５において、前記呼吸チューブ（３７）の前記コネクタ室（３８）への開口位置（４９）が、前記複数の端子（３４）のうちの微小電流が流れる端子（４２）の位置（５１）より下方にオフセットされていることを特徴とするブレーキ液圧制御装置の負圧発生防止装置。
【請求項７】
請求項５において、前記コネクタ室（３８）を前記呼吸チューブ（３７）が開口する区画部（５６）と、前記微小電流が流れる端子（４２）が位置する区画部（５５）とに僅かな連通部を残して区分する仕切板（５３）が前記コネクタ室内に設けられていることを特徴とするブレーキ液圧制御装置の負圧発生防止装置。
【請求項８】
請求項７において、前記仕切板（５３）は、前記コネクタ室（３８）を前記呼吸チューブ（３７）が開口する下区画（５６）と前記微小電流が流れる端子（４２）が位置する上区画（５５）とに区分する水平仕切板（５３）、およびコネクタの結合時に前記車両側コネクタ（３６）を案内するために前記ユニット側コネクタ（３３）の内部に垂直方向に形成されて前記コネクタ室を前記呼吸チューブおよび前記微小電流が流れる端子（４２）の一方が開口する左区画（５７）と他方が開口する右区画（５８）とに僅かな連通部を残して区分する案内板（５４）の少なくとも一方であることを特徴とするブレーキ液圧制御装置の負圧発生防止装置。
【請求項９】
請求項１乃至８のいずれか１項において、前記基板室（１５）、収容室（２２）およびハイドロユニット（２０）の内室が互いに連通されていることを特徴とするブレーキ液圧制御装置の負圧発生防止装置。
【手続補正２】
【補正対象書類名】明細書
【補正対象項目名】００１４
【補正方法】変更
【補正の内容】
【００１４】
請求項８に記載の発明の構成上の特徴は、請求項７において、前記仕切板は、前記コネクタ室を前記呼吸チューブが開口する下区画と前記微小電流が流れる端子が位置する上区画とに区分する水平仕切板、およびコネクタの結合時に前記車両側コネクタを案内するために前記ユニット側コネクタの内部に垂直方向に形成されて前記コネクタ室を前記呼吸チューブおよび前記微小電流が流れる端子の一方が開口する左区画と他方が開口する右区画とに僅かな連通部を残して区分する案内板の少なくとも一方であることである。
【手続補正３】
【補正対象書類名】明細書
【補正対象項目名】００１５
【補正方法】変更
【補正の内容】
【００１５】
請求項９に記載の発明の構成上の特徴は、請求項１乃至８のいずれか１項において、前記基板室、収容室およびハイドロユニットの内室が互いに連通されていることである。
【手続補正４】
【補正対象書類名】明細書
【補正対象項目名】００２３
【補正方法】変更
【補正の内容】
【００２３】
上記のように構成した請求項８に係る発明においては、コネクタ室を呼吸チューブが開口する下区画と微小電流が流れる端子が位置する上区画とに僅かな連通部を残して区分する水平仕切板、および結合時に車両側コネクタを案内するためにユニット側コネクタの内部に垂直方向に形成されてコネクタ室を呼吸チューブおよび微小電流が流れる端子の一方が位置する左区画と他方が位置する右区画とに僅かな連通部を残して区分する案内板の少なくとも一方によってコネクタ室が区分されている。これにより、万一、水が呼吸チューブを通ってコネクタ室内に吸い込まれても、水平仕切板が設けられている場合は、呼吸チューブの開口から下区画に流入した水は、微小電流が流れる端子が位置する上区画に移動することが水平仕切板によって阻止される。呼吸チューブの開口および微小電流が流れる端子の一方が垂直方向に設けられた案内板の左側の左区画室に、他方が右側の右区画室に位置する場合は、呼吸チューブを通ってコネクタ室に流入した水が微小電流の流れる端子にかかることを既存の案内板を利用して防止することができる。
【手続補正５】
【補正対象書類名】明細書
【補正対象項目名】００２４
【補正方法】変更
【補正の内容】
【００２４】
上記のように構成した請求項９に係る発明においては、基板室、収容室およびハイドロユニットの内室が互いに連通されて大きい内部空間を形成しており、呼吸時の空気の移動量が多くなるが、かかる空気の移動は呼吸チューブを通って円滑に行われ、基板室等の内部空間が負圧にならないので、水等がパッキンを通過して内部空間に浸入することを確実に防止することができる。
【手続補正６】
【補正対象書類名】明細書
【補正対象項目名】００４２
【補正方法】変更
【補正の内容】
【００４２】
１０…ブレーキ液圧制御装置、１１…負圧発生防止装置、１２…ケース、１３…側壁、１４…カバー、１５…基板室、１６…電子制御ユニット基板、１７…隔壁、１８…パッキン、１９…シール溝、２０…ハイドロユニット、２１…本体、２２…収容室、２３…ソレノイド（制御機器）、２４，３０，６１…通穴、２６…リザーバ、３１…モータ室、３３…ユニット側コネクタ、３４…端子、３５…ワイヤハーネス、３６…車両側コネクタ、３７…呼吸チューブ、３８…コネクタ室、３９…外周壁、４０…内部、４１…動力線用の端子、４２…微小電流が流れる端子、４３…制御線、通信線用の端子、４４…オス型のコネクタ部、４５…メス型のコネクタ部、４６…環状溝、４７…パッキン、４８…連通穴、４９，５０…開口位置、５１…微小電流が流れる端子の配列位置、５３…水平仕切板、５４…案内板、５５…上区画、５６…下区画、５７…左区画、５８…右区画、５９…芯線、６０…被覆。